(57)【要約】【課題】挿入方向に沿った長さよりも幅のほうが大きい挿入対象物の誤挿入を防止する誤挿入防止装置を提供する。【解決手段】誤挿入防止装置を、挿入対象物１０，２０が挿入されるスロット部１００と、挿入対象物１０，２０の挿入通路Ａ上に突き出した挿入防止位置と、通路上から退避した退避位置との間を移動する挿入防止部１６１と、通路部Ａの挿入防止部１６１よりも入口側に、その幅方向の間隔Ｙを挿入対象物１０，２０の長さＬよりも大きくして複数設けられ、挿入対象物１０，２０と接することによって、通路Ａ上に突き出した非検出位置から、通路上から退避した検出位置へ移動する挿入方向検出部１６２と、挿入方向検出部１６２の非検出位置から検出位置への移動と連動して、挿入防止部１６１を挿入防止位置から退避位置に移動させる連結部１６２ａとを備える構成とする。【選択図】図３
2006195774.tif 000002
【特許請求の範囲】
【請求項１】
所定の挿入方向に沿った長さ方向の寸法に対して、前記挿入方向と直交する幅方向の寸法が大きい挿入対象物の誤挿入防止装置において、
前記挿入対象物が挿入されるスロット部と、
前記スロット部の前記挿入対象物が挿入される通路上に突き出した挿入防止位置と、前記通路上から退避した退避位置との間を移動する挿入防止部と、
前記スロット部の前記通路部の前記挿入防止部よりも前記挿入対象物の入口側に、前記挿入対象物の前記幅方向に離間し、その間隔を前記挿入対象物の前記長さ方向の寸法よりも大きくして複数設けられ、前記挿入対象物と接することによって、前記通路上に突き出した非検出位置から、前記通路上から退避した検出位置へ移動する挿入方向検出部と、
前記複数の挿入方向検出部と前記挿入防止部とをそれぞれ連結し、前記挿入方向検出部の前記非検出位置から前記検出位置への移動と連動して、前記挿入防止部を前記挿入防止位置から前記退避位置に移動させる連結部と
を備えることを特徴とする誤挿入防止装置。
【請求項２】
請求項１に記載の誤挿入防止装置において、
前記挿入防止部は、前記複数の挿入方向検出部のそれぞれに独立して複数設けられること
を特徴とする誤挿入防止装置。
【請求項３】
所定の挿入方向に沿った長さ方向の寸法に対して、前記挿入方向と直交する幅方向の寸法が大きい挿入対象物の誤挿入防止装置において、
前記挿入対象物が挿入され、その前記挿入対象物の前記長さ方向及び前記幅方向とそれぞれ直交する厚さ方向に対応する寸法が、前記挿入対象物の前記厚さ方向の寸法よりも大きく形成されたスロット部と、
前記スロット部の前記挿入対象物を前記幅方向に挟んだ側部にそれぞれ設けられ、前記挿入対象物の前記幅方向における両端部と係合し、前記スロット部に対する前記挿入対象物の前記厚さ方向に沿った移動を拘束するガイド部と、
前記スロット部の前記挿入対象物が挿入される通路上に突き出した挿入防止位置と、前記通路上から退避した退避位置との間を移動する挿入防止部と、
前記スロット部の前記通路の前記挿入防止部よりも前記挿入対象物の入口側に設けられ、前記ガイド部と係合した状態で挿入される前記挿入対象物と接することによって、前記通路上に突き出した非検出位置から、前記通路上から退避した検出位置へ移動する挿入方向検出部と、
前記挿入方向検出部と前記挿入防止部とを連結し、前記挿入方向検出部の前記非検出位置から前記検出位置への移動と連動して、前記挿入防止部を前記挿入防止位置から前記退避位置に移動させる連結部と
を備えることを特徴とする誤挿入防止装置。
【請求項４】
請求項１から請求項３までのいずれか1項に記載の誤挿入防止装置において、
前記挿入防止部、前記挿入方向検出部の少なくとも一方を、前記スロット部の前記通路内側に付勢する付勢部を備えること
を特徴とする誤挿入防止装置。
【発明の詳細な説明】
【技術分野】
【０００１】
本発明は、記録メディア等の挿入対象物を、誤った方向で機器類に挿入することを防止する誤挿入防止装置に関するものである。
【背景技術】
【０００２】
例えば、デジタルカメラ等の装置において、データの保存に着脱式の記録媒体を用いることが知られている。
こうした記録媒体として、樹脂や金属によってその平面形状が矩形のカード状に形成されたパッケージ内に、ランダムアクセスメモリ（ＲＡＭ）を収容し、その挿入方向に沿った前端部側に端子を有する記録メディアを用いることが知られている。このような記録メディアとして、例えば、コンパクトフラッシュ（サンディスクコーポレーションの登録商標である）が知られている（例えば、特許文献１）。
【０００３】
しかし、このような記録メディアにおいて、挿入方向に沿った長さよりも、挿入方向と直交する方向の幅のほうが大きい形状を有するものは、これが挿入されるスロット部に対して、正しい挿入方向に対して、例えば約９０度回転させて、その幅方向に沿って挿入されてしまう場合がある。
これに対して、記録メディアや、スロット部の入口部に、正しい挿入方向の表示が設けられているが、表示スペース自体が限られ、また、ユーザがこれに対して十分注意しない場合もあるから、誤った方向からの挿入を完全に防止することはできない。
誤った方向から記録メディアを挿入すると、スロット部内に設けられた端子が記録メディアとの干渉によって破損するおそれがあり、仮に破損した場合、スロット部が備えられた基板の交換が必要となる場合があり、煩雑である。
【特許文献１】特開２００２−０７４２７６号公報
【発明の開示】
【発明が解決しようとする課題】
【０００４】
本発明の課題は、挿入方向に沿った長さよりも幅のほうが大きい挿入対象物の誤挿入を防止する誤挿入防止装置を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
【０００６】
請求項１の発明は、所定の挿入方向に沿った長さ方向の寸法（Ｌ）に対して、前記挿入方向と直交する幅方向の寸法（Ｗ）が大きい挿入対象物（１０，２０）の誤挿入防止装置において、前記挿入対象物（１０，２０）が挿入されるスロット部（１００）と、前記スロット部（１００）の前記挿入対象物（１０，２０）が挿入される通路（Ａ）上に突き出した挿入防止位置と、前記通路上から退避した退避位置との間を移動する挿入防止部（１６１）と、前記スロット部（１００）の前記通路部（Ａ）の前記挿入防止部（１６１）よりも前記挿入対象物（１０，２０）の入口側に、前記挿入対象物（１０，２０）の前記幅方向に離間し、その間隔を前記挿入対象物（１０，２０）の前記長さ方向の寸法（Ｌ）よりも大きくして複数設けられ、前記挿入対象物（１０，２０）と接することによって、前記通路（Ａ）上に突き出した非検出位置から、前記通路上から退避した検出位置へ移動する挿入方向検出部（１６２）と、前記複数の挿入方向検出部（１６２）と前記挿入防止部とをそれぞれ連結し、前記挿入方向検出部（１６２）の前記非検出位置から前記検出位置への移動と連動して、前記挿入防止部（１６１）を前記挿入防止位置から前記退避位置に移動させる連結部（１６２ａ）とを備えることを特徴とする誤挿入防止装置である。
【０００７】
請求項２の発明は、請求項１に記載の誤挿入防止装置において、前記挿入防止部（１６１）は、前記複数の挿入方向検出部（１６２）のそれぞれに独立して複数設けられることを特徴とする誤挿入防止装置である。
【０００８】
請求項３の発明は、所定の挿入方向に沿った長さ方向の寸法（Ｌ）に対して、前記挿入方向と直交する幅方向の寸法（Ｗ）が大きい挿入対象物（１０）の誤挿入防止装置において、前記挿入対象物（１０）が挿入され、その前記挿入対象物（１０）の前記長さ方向及び前記幅方向とそれぞれ直交する厚さ方向に対応する寸法が、前記挿入対象物（１０）の前記厚さ方向の寸法（Ｔ１）よりも大きく形成されたスロット部（１００）と、前記スロット部（１００）の前記挿入対象物（１０）を前記幅方向に挟んだ側部にそれぞれ設けられ、前記挿入対象物（１０）の前記幅方向における両端部（１２）と係合し、前記スロット部（１００）に対する前記挿入対象物（１０）の前記厚さ方向に沿った移動を拘束するガイド部（１５２）と、前記スロット部（１００）の前記挿入対象物（１０）が挿入される通路（Ａ）上に突き出した挿入防止位置と、前記通路上から退避した退避位置との間を移動する挿入防止部（１６１）と、前記スロット部（１００）の前記通路（Ａ）の前記挿入防止部（１６１）よりも前記挿入対象物（１０）の入口側に設けられ、前記ガイド部（１５２）と係合した状態で挿入される前記挿入対象物（１０）と接することによって、前記通路上に突き出した非検出位置から、前記通路上から退避した検出位置へ移動する挿入方向検出部（１６２）と、前記挿入方向検出部（１６２）と前記挿入防止部（１６１）とを連結し、前記挿入方向検出部（１６２）の前記非検出位置から前記検出位置への移動と連動して、前記挿入防止部（１６１）を前記挿入防止位置から前記退避位置に移動させる連結部（１６２ａ）とを備えることを特徴とする誤挿入防止装置である。
【０００９】
請求項４の発明は、請求項１から請求項３までのいずれか１項に記載の誤挿入防止装置において、前記挿入防止部（１６１）、前記挿入方向検出部（１６２）の少なくとも一方を、前記スロット部（１００）の前記通路（Ａ）内側に付勢する付勢部（１６０）を備えることを特徴とする誤挿入防止装置である。
【発明の効果】
【００１０】
本発明によれば、以下の効果を奏することができる。
（１）挿入対象物と接触することによって、挿入防止部を退避させる挿入方向検出部を、挿入対象物の長さ方向の寸法よりも大きい間隔を隔てて配置しているから、仮に挿入対象物の挿入方向を約９０度回転させて、その幅方向に沿って挿入しようとしても、これらの挿入方向検出部の両方と接触することはない。この場合、挿入防止部を完全に退避させることはできないから、誤った方向に沿った挿入を防止することができる。
（２）挿入対象物の幅方向における両端部に、その厚さ方向の移動を拘束するガイド部を設け、スロット部の通路の厚さ方向の寸法を、挿入対象物の厚さよりも大きくしたから、仮に挿入対象物をその幅方向に沿って挿入しようとしても、スロット部の通路に対して厚さ方向に隙間が生じることになる。この場合、挿入対象物が、挿入方向検出部を、挿入防止部を完全に退避させるのに十分なだけ押し込めないから、誤った方向に沿った挿入を防止することができる。
（３）挿入防止部、挿入方向検出部の少なくとも一方を通路内側に付勢しているから、これらが挿入対象物に押圧されることによって、挿入対象物の着脱時に、ユーザが意図しない脱落を防止することができる。
【発明を実施するための最良の形態】
【００１１】
本発明は、挿入方向に沿った長さよりも幅のほうが大きい挿入対象物の誤挿入を防止する誤挿入防止装置を提供するという目的を、メモリカードと接触することによって挿入防止部を退避させる挿入方向検出部を、メモリカードの長さよりも大きい間隔で配置することによって実現した。
【実施例】
【００１２】
以下、図面等を参照して、本発明の実施例をあげて、さらに詳しく説明する。
実施例は、コンパクトフラッシュ（登録商標）カードと通称されているメモリカードが挿入されるカードスロット部に関するものである。
図１は、このメモリカードの三面図である。このメモリカードは、エンジニアリングプラスチック又は金属によって形成されたパッケージ内に、ＲＡＭを有するチップを内蔵し、例えば、デジタルカメラ、パーソナルコンピュータ、携帯情報端末（ＰＤＡ）等の装置に設けられたスロット部から着脱可能な記憶媒体であって、その厚さによって、タイプ１及びタイプ２の２種類が存在する。
図１において、図１（ａ）は、メモリカードの表面側から見た平面図（タイプ１，２共通）、図１（ｂ）は、図１（ａ）のｂ−ｂ矢視図（タイプ１）、図１（ｃ）は、図１（ａ）のｂ−ｂ矢視図（タイプ２）、図１（ｄ）は、図１（ａ）のｄ−ｄ矢視図（タイプ１）、図１（ｅ）は、図１（ａ）のｄ−ｄ矢視図（タイプ２）である。
【００１３】
図１（ａ）に示すように、タイプ１のメモリカード１０、及び、タイプ２のメモリカード２０は、共通した矩形の平面形状を有し、そのカードスロットに挿入される際の挿入方向に沿った長さ方向の寸法Ｌよりも、これと直交する幅方向の寸法Ｗのほうが大きく形成されている。
図１（ｂ）及び図１（ｃ）に示すように、メモリカード１０，２０は、その長さ方向及び幅方向とそれぞれ直交する厚さ方向の寸法が、全体にわたって略一定に形成され、その厚さは、メモリカード２０の厚さＴ２のほうが、メモリカード１０の厚さＴ１よりも厚く形成されている。
また、図１（ｂ）に示すように、メモリカード１０は、その挿入方向に沿った後端部側の辺に沿って、一方の面側に厚さ方向に突き出した突条１１が形成されている。
なお、以下の説明において、メモリカード１０を厚さ方向に挟んで設けられる面のうち、突条１１が設けられた側を表面１０ａ、その反対側の面を裏面１０ｂと称するものとする。
さらに、メモリカード１０は、これを幅方向に挟んだ側面を凹ませて、その挿入方向に沿って形成された溝部１２を備えている。この溝部１２は、その挿入方向に沿った前方側の端部が開放され、メモリカード１０の厚さ方向において、略その中央部に配置されている。
【００１４】
図１（ｃ）に示すように、メモリカード２０は、メモリカード１０における突条１１のような突条は有していない。
また、メモリカード２０は、メモリカード１０の溝部１２と同様の溝部２２を有するが、その厚さ方向における位置は、一方の面部側に寄せて配置されている。
なお、以下の説明において、メモリカード２０を厚さ方向に挟んで設けられる面のうち、この溝部２２が寄せて配置された側の面を表面２０ａ、反対側の面を裏面２０ｂと称するものとする。
そして、メモリカード２０の表面２０ａから溝部２２までの距離は、メモリカード１０の表面１０ａから溝部１２までの距離と略同じに設定されている。
【００１５】
図１（ｄ）及び図１（ｅ）に示すように、メモリカード１０，２０は、その挿入方向に沿った先端側の面部に、複数の接点を備え、後述するカードスロット側のコネクタと係合する端子部１３，２３をそれぞれ備えている。端子部１３，２３は同様の接点配列を備え、その表面１０ａ，２０ａ，からの距離を略同じに配置されている。
【００１６】
図２は、実施例のカードスロット部を、メモリカード１０，２０の表面側から見た平面図である。図３は、図２の、III−III部矢視断面図である。図４は、図２のIV−IV部矢視図である。
カードスロット部１００は、ボディ１１０と、背面カバー１２０と、リジット基板１３０と、カードイジェクタ１４０と、コネクタヘッダ１５０と、誤挿入防止バネ１６０とを備えている。なお、以下の説明において、カードスロット部１００の長さ方向、幅方向、厚さ方向とは、それぞれ正常に挿入された場合のメモリカード１０，２０の対応する各方向と同じ方向を指すものとする。
【００１７】
ボディ１１０は、例えば、このカードスロット部１００が設けられるデジタルカメラのメインシャーシであって、カードスロット部１００が固定される基部となるものである。
背面カバー１２０は、デジタルカメラの外装の一部を構成するボディ筐体であって、このカードスロット部１００に、メモリカード１０，２０の出し入れを行うための開口１２１（図３参照）を備えている。
カードイジェクタ１４０、コネクタヘッド１５０が実装されているリジット基板１３０は、固定ビス１３１によりボディ１１０に固定されている。
また、リジット基板１３０は、その一方の面部を、カードスロット部１００に挿入されるメモリカード１０，２０の表面と対向して設けられている。
【００１８】
カードイジェクタ１４０は、例えば金属製の薄板によって形成され、リジット基盤１３０に半田付け等で固定されている。カードイジェクタ１４０は、リジット基板１３０に対して、メモリカード２０の厚さＴ２よりも若干大きい間隔を隔てて対向する面部を備えており、このリジット基板１３０とカードイジェクタ１４０とが対向する面間が、メモリカード１０，２０がこのカードスロット部１００に挿入される通路部Ａとなる。
また、カードイジェクタ１４０は、そのメモリカード１０，２０の幅方向に沿った両側に、対向して配置された１対の面部１４１を備えている。この面部１４１の間隔は、メモリカード１０，２０の幅に、不可避的に必要な隙間の寸法を加えた寸法となっている。面部１４１は、メモリカード１０，２０が正しい方向において挿入された場合に、その幅方向の移動を規制するものである。
さらに、カードイジェクタ１４０は、カードスロット１００に挿入されたメモリカード１０，２０を、コネクタヘッド１５０から分離させ、排出するための操作部であるイジェクタボタン１４２を備えている。
【００１９】
コネクタヘッド１５０は、端子部１５１と、ガイド部１５２とを備えている。
端子部１５１は、上述した通路部Ａの入口とは反対側の端部に設けられ、メモリカード１０，２０の端子部１３，２３と接続されるものである。この端子部１５１は、メモリカード１０，２０の挿入方向に沿って突き出したピン状の端子を複数配列したものである。
ガイド部１５２は、上述したカードイジェクタ１４０の面部１４１のそれぞれに沿って配置され、メモリカード１０，２０の溝部１２，２２と係合して、これを挿入方向に沿った方向にガイドするものである。
【００２０】
誤挿入防止バネ１６０は、挿入防止部１６１と、挿入方向検出部１６２とを備えている。
挿入防止バネ１６０は、例えばバネ鋼等の弾性材料を有する線材を、曲げ加工して形成されており、挿入防止部１６１及び挿入方向検出部１６２は、それぞれこの線材の一部の領域であって、上述した線材によって一体に形成されている。
誤挿入防止バネ１６０は、このカードスロット部１００の入口近傍において、固定用ビス１６０ａによって、ボディ１１０の通路部Ａに対してリジット基板１３０側の部分に固定され、この固定箇所を支点として、カードスロット部１００の幅方向に沿った軸回りに、所定の角度範囲内で回転（揺動）可能となっている。
【００２１】
挿入防止部１６１は、固定用ビス１６０ａよりもコネクタヘッド１５０側に設けられ、カードスロット部１００の幅方向に沿って上述した線材を延在させた部分であって、カードスロット部１００にメモリカード１０、２０が挿入されていない状態においては、通路部Ａ内に突き出した挿入防止位置に配置されている。
挿入防止部１６１が挿入防止位置にある場合において、図４に示すように、通路部Ａのメモリカード１０，２０の表面１０ａ，２０ａ、裏面１０ｂ，２０ｂとそれぞれ対向する面からの挿入防止部１６１までの間隔Ｘ１，Ｘ２は、それぞれメモリカード１０の厚さよりも小さく設定されている。
【００２２】
挿入方向検出部１６２は、挿入防止部１６１と固定用ビス１６０ａとの中間部に設けられ、メモリカード１０，２０が挿入されていない状態においては、通路部Ａ内に突き出した非検出位置に配置されている。
挿入方向検出部１６２は、図３に示すように、この非検出位置にあるときに、通路部Ａ内への突き出し量が、メモリカード１０，２０の挿入方向に沿って、コネクタヘッド１５０側に近づくにつれて、徐々に増加するように、傾斜をつけて配置されている。
なお、挿入方向検出部１６２の通路部Ａ内への最大突き出し量Ｘ３は、挿入方向検出部１６２がメモリカード１０，２０に押圧されて通路部Ａから退避した検出位置へ移動した場合に、上述した挿入方向検出部１６１もまた、これに追従して通路部Ａから退避するように設定される。
【００２３】
図２に示すように、挿入方向検出部１６２は、カードスロット部１００の幅方向に沿って離間して、例えば２箇所設けられ、それぞれカードスロット部１００の長さ方向に略沿って延在している。また、挿入防止部１６１は、これらの挿入方向検出部１６２のコネクタヘッド１５０側の端部側に連続してそれぞれ設けられた接続部１６２ａにわたして設けられている。
ここで、図２及び図４に示す挿入方向検出部１６２のカードスロット部１００の幅方向に沿った間隔Ｙは、メモリカード１０，２０の長さ方向の寸法Ｌよりも大きく、かつ、その幅方向の寸法Ｗよりも小さく設定されている。
【００２４】
次に、上述したカードスロット部１００による誤挿入防止機能について説明する。
図５は、カードスロット部１００にメモリカード１０を挿入する場合に想定される挿入方向を示す図である（メモリカード２０の場合も同様である）。
図５（ａ）、図５（ｂ）は、それぞれメモリカード１０の裏表が正しい場合、誤った場合を示しており、このそれぞれについて、挿入方向に沿いかつ正しい方向Ａ，Ｅ、挿入方向に沿った反対向きの方向Ｃ，Ｇ，幅方向に沿った方向Ｂ，Ｄ，Ｆ，Ｈからカードスロット部１００に挿入される場合が想定される。
そして、上述したＡ以外の方向に沿ってメモリカード１０をカードスロット部１００に挿入し、その先端部がコネクタヘッド１５０の端子部１５１を押圧すると、端子部１５１が損傷し、リジット基板１３０の交換を含む大規模な修理が必要となるおそれがあるから、実施例においては、以下説明するように、誤挿入防止機能を備えている。
【００２５】
＜正常に挿入された場合＞
図６は、カードスロット部１００にメモリカード１０が正常に挿入された場合（方向Ａ）の状態を示す平面図である。図７は、図６のVII−VII部矢視断面図である。
図６に示すように、カードスロット部１００の通路部Ａの側壁となるカードイジェクタ１４０の面部１４１は、メモリカード１０の対向する側面と不可避的に生ずる隙間を介して対向し、これによって、メモリカード１０はその幅方向の移動を制限される。
また、メモリカード１０は、その幅方向に沿った両端部の溝部１２を、カードイジェクタ１４０の図示しないガイド部と、コネクタヘッド１５０のガイド部１５２とにガイドされることによって、その厚さ方向の移動を制限される。
【００２６】
図７に示すように、メモリカード１０が通路部Ａ内に挿入されると、誤挿入防止バネ１６０の挿入方向検出部１６２は、メモリカード１０の表面１０ａと接し、押圧されることによって、上述した固定箇所を支点として回転し、通路部Ａ内からリジット基板１３０側に退避した検出位置に移動する。
図６に示すように、１対の挿入方向検出部１６２の間隔は、メモリカード１０の幅Ｗよりも小さいから、これらの挿入方向検出部１６２は、ともに押圧されて移動する。
再び図７に示すように、挿入防止部１６１もまた、この挿入方向検出部１６２の回転に追従して、通路部Ａ内から、リジット基板１３０側に退避した退避位置に移動するから、この挿入防止部１６１は、メモリカード１０の挿入の妨げとはならず、メモリカード１０は、カードスロット部１００に挿入される。
【００２７】
図８は、カードスロット部１００にメモリカード２０を挿入した状態を示す断面図であって、図６におけるVII−VII部矢視断面に相当する図である。
この場合においても、メモリカード２０は、メモリカード１０の場合と同様に、その幅方向の移動をカードイジェクタ１４０の面部１４１によって制限され、また、厚さ方向の移動はガイド部１５２と溝部２２との係合によって制限されている。
そして、挿入方向検出部１６２は、メモリカード２０の表面２０ａに押圧されることによって、検出位置に移動し、挿入防止部１６１は、これに追従して退避位置に移動する。
【００２８】
＜誤った方向に沿って挿入された場合＞
図９は、カードスロット部１００に、メモリカード１０を、幅方向に沿って挿入した場合（方向Ｂ）の状態を示す平面図である。図１０は、図９のＸ−Ｘ部矢視断面図であって、メモリカード１０を、通路部Ａのリジット基板１３０側に寄せて挿入した状態を示す図である。
図９に示すように、挿入方向検出部１６２の間隔Yは、メモリカード１０の長さＬよりも大きいから、メモリカード１０は、挿入方向検出部１６２の間を通って挿入される場合がある。
この場合、図１０に示すように、メモリカード１０の表面１０ａが挿入位置検出部１６２を押圧しないから、挿入位置検出部１６２は、通路部Ａ内に突き出した非検出位置に留まった状態となっている。
このため、挿入防止部１６１も通路部Ａ内に突き出した挿入防止位置に留まった状態となっており、メモリカード１０は、この挿入防止部１６１と接することによって、それ以上の挿入を防止される。
【００２９】
図１１は、カードスロット部１００に、メモリカード１０を、幅方向に沿って挿入した場合（方向Ｂ）であって、メモリカード１０を通路部Ａのカードイジェクタ１４０側に沿って挿入した状態を示す断面図である。なお、仮に正常な方向でメモリカード１０を挿入した場合には、その両端部の溝部１２がガイド部１５２によってガイドされ、厚さ方向の移動が制限されるから、このようにカードイジェクタ１４０側に沿うことはない。
この場合は、仮に図９に示すように、メモリカード１０が挿入方向検出部１６２の間を通らずに、いずれか一方の挿入方向検出部１６２と接した場合であっても、メモリカード１０が正常な挿入時よりもカードイジェクタ１４０側に寄せられていることから、挿入方向検出部１６２をリジット基板１３０側に押し込むストロークが不足する。このため、挿入防止部１６１は通路部Ａ内に突き出した挿入防止位置に留まった状態となっており、メモリカード１０は、これを接することによって、それ以上の挿入を防止される。
【００３０】
図１２は、カードスロット部１００に、メモリカード２０を幅方向に沿って挿入した場合（方向Ｂ）であって、メモリカード１０を、カードイジェクタ１４０の一方の面部１４１側に寄せて挿入した状態を示す図である。
図１１に示すメモリカード１０の場合と異なり、メモリカード２０は、厚さが大きいことから、仮に幅方向に沿って挿入したとしても、これが接する挿入方向検出部１６２を、通路部Ａから退避させた検出位置に移動させることは可能である。
しかし、メモリカード２０の長さＬは、挿入方向検出部１６２相互間の間隔よりも小さいから、図１２に示すように、挿入方向検出部１６２の一方を押圧することはあっても、両方を押圧することはないから、押圧されない側の挿入方向検出部１６２側に隣接する挿入防止部１６１の一部は、通路部Ａから退避せず、メモリカード２０の挿入は防止される。
【００３１】
以上のように、実施例によれば、メモリカード１０，２０と接触することによって挿入防止部１６１を退避させる挿入方向検出部１６２を、メモリカード１０，２０の長さＬよりも大きい間隔で配置しているから、仮にメモリカード１０，２０をその幅方向に沿って挿入しようとしても、挿入方向検出部１６２の両方と接触することはないから、挿入防止部１６１を通路部Ａから完全に退避させることができず、メモリカード１０，２０を誤った方向に挿入することを防止できる。また、ユーザは、メモリカード１０が途中までしか挿入できないことによって、挿入方向が誤っていることを知ることができる。
また、メモリカード１０の幅方向における両端部と係合し、その厚さ方向の移動を制限するガイド部１５２を設け、カードスロット部１００の通路部Ａの厚さ方向の寸法を、メモリカード１０の厚さよりも大きくしたから、仮にメモリカード１０をその幅方向に沿って挿入しようとしても、通路部Ａの厚さ方向に隙間が生じ、メモリカード１０が挿入方向検出部１６２を押圧するストロークが少なくなるから、挿入防止部１６１を十分に退避させることができるず、メモリカード１０を誤った方向に挿入することを防止できる。
挿入防止部１６１及び挿入方向検出部１６２は、誤挿入防止バネ１６０を形成する線材の弾性によって、通路部Ａの内側に向けて付勢されているから、メモリカード１０，２０がカードスロット部１００内に挿入されているときは、その表面１０ａ，２０ａは、これらによって押圧されており、メモリカード１０，２０の着脱時に、ユーザが意図しないその脱落を防止することができる。
【００３２】
（変形例）
本発明は、以上説明した各実施例に限定されることなく、種々の変形や変更が可能であって、それらも本発明の均等の範囲内である。
（１）上述した実施例では、挿入防止部及び挿入方向検出部を、１本の線材を曲げ加工することによって一体に形成し、またこの線材の弾性によって付勢する構成としているが、これに限らず、挿入防止部と挿入方向検出部とを別体に形成し、これらを連結することによって、挿入方向検出部が挿入対象物に押圧された際に、挿入防止部が退避するようにしてもよい。また、挿入防止部、挿入方向検出部の少なくとも一方を付勢する独立した付勢部を設けてもよい。
（２）上述した実施例では、複数の挿入方向検出部が同じ挿入防止部に連結された構成となっているが、これに限らず、複数の挿入方向検出部ごとに、それぞれ独立した挿入防止部を設けるようにしてもよい。このような独立した挿入防止部は、例えば、挿入防止部と挿入方向検出部とを同じ線材を曲げ加工して一体に成形する場合には、挿入防止部を形成する線材が、他の挿入防止部と隣接する側の端部において、線材が折り返す構成としてもよい。
（３）上述した実施例では、挿入対象物は、メモリカードであったが、これに限らず、例えばその一方向から見た平面形が矩形のパッケージに収容された電池類や、光ディスク、磁気ディスク等の記憶媒体であってもよい。また、誤挿入防止装置が設けられる装置も、上述した実施例に限定されず、上述したような挿入対象物が用いられるいかなる装置であってもよい。
【図面の簡単な説明】
【００３３】
【図１】本発明を適用したカードスロット部の実施例に用いられるメモリカードの三面図である。
【図２】本発明を適用したカードスロット部の実施例をメモリカードの表面側から見た平面図である。
【図３】図２のIII−III部矢視断面図である。
【図４】図２のIV−IV部矢視図である。
【図５】図２のカードスロット部にメモリカードを挿入する場合に想定される挿入方向を示す図である。
【図６】図２のカードスロット部にメモリカードが正常に挿入された場合の状態を示す平面図である。
【図７】図６のVII−VII部矢視断面図である。
【図８】図２のカードスロット部に他のメモリカードを挿入した状態を示す断面図である。
【図９】図２のカードスロット部にメモリカードを幅方向に沿って挿入した状態を示す図である。
【図１０】図９のＸ−Ｘ部矢視断面図である。
【図１１】図２のカードスロット部にメモリカードを幅方向に沿って挿入した場合であって、メモリカードをカードイジェクタ側に沿って挿入した状態を示す断面図である。
【図１２】図２のカードスロット部にメモリカードを幅方向に沿って挿入した場合であって、メモリカードをカードイジェクタの一方の面部側に沿って挿入した状態を示す平面図である。
【符号の説明】
【００３４】
１０，２０    メモリカード
１０ａ，２０ａ    表面
１０ｂ，２０ｂ    裏面
１２，２２    溝部
１００    カードスロット部
１１０    ボディ
１２０    背面カバー
１３０    リジット基板
１４０    カードイジェクタ
１４１    面部
１５０    コネクタヘッダ
１５２    ガイド部
１６０    誤挿入防止バネ
１６１    挿入防止部
１６２    挿入方向検出部
Ａ    通路部
【図１】
2006195774.tif 000003
【図２】
2006195774.tif 000004
【図３】
2006195774.tif 000005
【図４】
2006195774.tif 000006
【図５】
2006195774.tif 000007
【図６】
2006195774.tif 000008
【図７】
2006195774.tif 000009
【図８】
2006195774.tif 000010
【図９】
2006195774.tif 000011
【図１０】
2006195774.tif 000012
【図１１】
2006195774.tif 000013
【図１２】
2006195774.tif 000014